(57)【要約】【課題】給水装置と水槽との連通部分に逆止弁を有するもののその逆止弁による異常音の発生をなくす。【解決手段】給水装置の水槽との連通部分（ホース継手５１）に、逆止弁５２を弁筐５３に取付けて設けるものにおいて、その逆止弁５２が、取付部５８からフラップ状に弁体５９を連設したものであって、その弁体５９が当接する弁筐５３の弁座（通水口の周縁部５５ａ）の角度θ１より、逆止弁５２の取付け前の取付部５８に対する弁体５９の角度θ２を小さくしたことにより、逆止弁５２は、取付け時、弁筐５３の弁座により、弁体５９の角度をθ２から広げられて取付けられ、その状態からの弾性復元力で弁体５９を弁筐５３の弁座に圧接させ続ける。これにより、脱水時の振動や乾燥時の風力が加わっても、弁体５９が弁座に当たることを細かく繰り返すことがなくなり、異常音の発生をなくし得る。【選択図】図１
2010029521.tif 000002
【特許請求の範囲】
【請求項１】
外箱の内部に、回転槽を収容する水槽を具えると共に、その水槽の内部に給水する給水装置、並びに前記回転槽内部の洗濯物を加熱する加熱装置を具え、
前記給水装置と前記水槽との連通部分に、給水装置から水槽への流体の通過を許容して、水槽から給水装置への流体の通過を阻止する逆止弁を、弁筐に取付けて設けたものにおいて、
その逆止弁が、取付部からフラップ状に弁体を連設したものであって、その弁体が当接する前記弁筐の弁座の角度より、逆止弁の取付け前の前記取付部に対する弁体の角度を小さくしたことを特徴とする洗濯乾燥機。
【請求項２】
逆止弁が、弁体に、取付部側へ延びて該取付部より突出するリブを有し、このリブの取付部より突出した部分が給水装置と水槽との連通部分の内周部に圧せられて、弁体を弁筐の弁座側に付勢することを特徴とする請求項１記載の洗濯乾燥機。
【請求項３】
給水装置と水槽との連通部分が内周部に凸部を有し、逆止弁がその凸部に圧せられて、弁体を弁筐の弁座側に付勢されることを特徴とする請求項１記載の洗濯乾燥機。
【請求項４】
逆止弁が、材質を表す文字を、凸状にて、弁体の反取付部側部分に有することを特徴とする請求項１記載の洗濯乾燥機。
【発明の詳細な説明】
【技術分野】
【０００１】
本発明は、給水装置と水槽との連通部分に逆止弁を有する洗濯乾燥機に関する。
【背景技術】
【０００２】
従来より、洗濯乾燥機においては、外箱の内部に、回転槽を収容する水槽を具えると共に、その水槽の内部に給水する給水装置、並びに前記回転槽内部の洗濯物を加熱する加熱装置を具え、それらによって、洗濯物の洗濯から脱水、そして乾燥を行うようになっている。
しかして、そのものの場合、乾燥時には、前記回転槽内部の洗濯物が加熱装置により加熱されることによって蒸気が発生し、この蒸気が水槽の内部から給水装置に進入してその外部に流出し、結露することで、外箱内部の他の部品の錆、腐食、漏電等を惹起する可能性を有する。
【０００３】
これに対して、上記給水装置と水槽との連通部分に逆止弁を設け、それによって、給水装置から水槽への流体（水）の通過を許容して、反対に、水槽から給水装置への流体（蒸気）の通過を阻止するようにしたものが供されている（例えば特許文献１参照）。
【特許文献１】特開平１１−３０９２９８号公報
【発明の開示】
【発明が解決しようとする課題】
【０００４】
上述の、給水装置と水槽との連通部分に逆止弁を設けたものでは、乾燥時に水槽の内部で発生する蒸気が給水装置に進入することはなく、従って、給水装置外部への蒸気の流出もなくて、それが結露することによる、外箱内部の他の部品の錆、腐食、漏電等を惹起するおそれをなくし得る。
しかしながら、脱水時には、回転槽が高速回転されることで発生する振動が逆止弁に加わり、乾燥時には、加熱装置が温風で洗濯物を加熱するものである場合にその風力が逆止弁に加わる。これらによって、逆止弁は当接相手の弁座に当たることを細かく繰り返し、異常音を発生していた。
【０００５】
本発明は上述の事情に鑑みてなされたものであり、従ってその目的は、給水装置と水槽との連通部分に逆止弁を有するもののその逆止弁による異常音の発生をなくし得る洗濯乾燥機を提供するにある。
【課題を解決するための手段】
【０００６】
上記目的を達成するために、本発明の洗濯乾燥機においては、外箱の内部に、回転槽を収容する水槽を具えると共に、その水槽の内部に給水する給水装置、並びに前記回転槽内部の洗濯物を加熱する加熱装置を具え、前記給水装置と前記水槽との連通部分に、給水装置から水槽への流体の通過を許容して、水槽から給水装置への流体の通過を阻止する逆止弁を、弁筐に取付けて設けたものにおいて、その逆止弁が、取付部からフラップ状に弁体を連設したものであって、その弁体が当接する前記弁筐の弁座の角度より、逆止弁の取付け前の前記取付部に対する弁体の角度を小さくしたことを特徴とする（請求項１の発明）。
【発明の効果】
【０００７】
上記手段によれば、逆止弁は、取付け時、弁筐の弁座により、取付部に対する弁体の角度を広げて取付けられ、その状態からの弾性復元力で弁体を弁筐の弁座に圧接させ続ける。これにより、脱水時の振動や乾燥時の風力が加わっても、逆止弁が弁座に当たることを細かく繰り返すことがなくなり、異常音の発生をなくすことが可能となる。
【発明を実施するための最良の形態】
【０００８】
以下、本発明の第１実施例（第１の実施形態）につき、図１ないし図６を参照して説明する。
まず、図３には、洗濯乾燥機、中でもドラム式（横軸形）洗濯乾燥機の全体構成を示しており、外箱１の内部に水槽２を配設し、水槽２の内部に回転槽（ドラム）３を配設している。これら水槽２及び回転槽３は、ともに軸方向が前後の横軸円筒状を成すもので、それを、下方の複数組（１組のみ図示）のサスペンション４により、前上がりの傾斜状に弾性支持している。
【０００９】
回転槽３は、周側壁の全域に孔５（一部のみ図示）を有する多孔状を成しており、その内周部には洗濯物撹拌用のバッフル６を複数（１つのみ図示）設けている。又、これらの水槽２及び回転槽３は、ともに前面が開口しており、それに対して、外箱１の前面部の上部には扉７によって開閉される洗濯物出入口８を形成し、この洗濯物出入口８と水槽２の前面の開口部とをベローズ９により連ねている。なお、回転槽３の開口部の周縁部には回転バランサ１０を設けている。
【００１０】
水槽２の背面にはモータ１１を取付けており、このモータ１１は、例えばアウターロータ形のブラシレスモータであり、回転槽３を直に回転駆動するようになっている。従って、モータ１１は回転槽３を回転駆動する駆動装置として機能するようになっている。
このほか、水槽２の最下部である底部の最後部には、詳しくは図示しないが電動の排水弁１２を接続し、更に、この排水弁１２に排水ホース１３を接続して、これらにより水槽２内の水を機外に排出するようにしている。
【００１１】
水槽２の下方には通風ダクト１４を配置している。この通風ダクト１４は、前端部の上部に吸風口１５を有しており、この吸風口１５に、前記水槽２の前面部の開口部周りの上部に形成した温風出口（図示省略）を還風ダクト１６を介して接続している。なお、還風ダクト１６は前記水槽２の前面の開口部を迂回するように配管しており、通風ダクト１４の吸風口１５との接続部分である下端部に、蛇腹状の可撓部１６ａを有している。又、通風ダクト１４の吸風口１５直下の部分には、もっぱら糸くずを捕獲するフィルタ１７を出し入れ可能に有している。
【００１２】
通風ダクト１４の後端部には送風機１８のケーシング１８ａを連結しており、このケーシング１８ａの出口部を給風ダクト１９を介して、前記水槽２の後端板部に形成した温風入口（図示省略）に接続している。なお、給風ダクト１９は前記モータ１１を迂回するように配管しており、ケーシング１８ａの出口部との接続部分である下端部に、蛇腹状の可撓部１９ａを有している。
【００１３】
これらの結果、還風ダクト１６、通風ダクト１４、送風機１８のケーシング１８ａ、及び給風ダクト１９により、前記水槽２の温風出口と温風入口とを接続して通風路２０が設けられている。なお、水槽２内には、水槽２の温風入口から回転槽３内へと通じる内部通風路２ａを設けている。
【００１４】
送風機１８は、上記ケーシング１８ａの内部に送風羽根１８ｂを有しており、この送風羽根１８ｂをケーシング１８ａ外のモータ１８ｃにより回転駆動することによる送風作用で、前記回転槽３内の空気を、水槽２内から上記通風路２０を通して水槽２外に出した後、水槽２内に、そして内部通風路２ａを通じて回転槽３内へと戻す循環を行わしめるようになっており、もって、通風路２０と送風機１８及び内部通風路２ａにより、回転槽３内の空気を循環させる空気循環装置２１を構成している。
【００１５】
しかして、通風路２０中、通風ダクト１４の内部には、前部に蒸発器２２を配設しており、後部に凝縮器２３を配設している。これらの蒸発器２２及び凝縮器２３は、詳しくは図示しないが、それぞれ蛇行状を成す冷媒流通パイプに、薄板状の伝熱フィンを細かいピッチで多数配設して成るフィン付きチューブ形のもので、熱交換性に優れており、それらの伝熱フィンの各間を、前記通風ダクト１４を後述のように流れる風が伝熱フィン及び冷媒流通パイプに接触しつつ通るようになっている。
【００１６】
又、蒸発器２２及び凝縮器２３は、図４に示す圧縮機２４及び絞り器（特には電子式の絞り弁もしくはキャピラリチューブ）２５と共にヒートポンプ２６を構成するもので、このヒートポンプ２６においては、接続パイプ２７によって、圧縮機２４、凝縮器２３、絞り器２５、蒸発器２２、及び圧縮機２４の順にこれらをサイクル接続しており（冷凍サイクル）、圧縮機２４が作動することによって図示しない冷媒を矢印で示すように循環させるようになっている。
なお、圧縮機２４と絞り器２５は、図３には図示しないが、前記通風ダクト１４の外部に配設している。
【００１７】
一方、外箱１内の最上部には、制御装置２８と給水装置２９とを配設している。このうち、制御装置２８は洗濯乾燥機の作動全般を制御するためのもので、例えばマイクロコンピュータを主体に構成している。これに対して、給水装置２９は、給水弁３０と給水ケース３１とから成るもので、図５には、そのうちの給水ケース３１を分解状態で示している。
【００１８】
給水ケース３１は、ケース本体３２を主体とし、これに下カバー３３及び上カバー３４から成る注水カバー３５を被着結合して構成される。ケース本体３２には、後部（図５で左側）に給水弁接続口３６，３７を形成しており、従って、前記給水弁３０は、その給水弁接続口３６，３７に図３に示す接続ホース３８（１本のみ図示）を介して接続される二つの出口を有し、それが選択開閉されるようになっている。加えて、下カバー３３の後部には、風呂水ポンプ３９を取付けている。
【００１９】
注水カバー３５は、上記給水弁３０又は風呂水ポンプ３９を通じて供給される水を導く複数の水路（この場合、第１及び第２の水路４０，４１）を、前記下カバー３３及び上カバー３４により形成するものであり、その両水路４０，４１を経てそれぞれの先端部や中間部に形成した孔４２，４３，４４から出される水が落ちる先のケース本体３２内には、洗剤ケース４５が前記外箱１の前方より出し入れ可能に収納されて位置する。
【００２０】
洗剤ケース４５は、上記注水カバー３５の孔４２〜４４に対応する複数の貯留部（この場合、第１ないし第３の貯留部４６〜４８）を有しており、そのうちの第１の貯留部４６には粉末洗剤を貯留し、第２の貯留部４７には液体洗剤又は漂白剤を貯留し、第３の貯留部４８には柔軟仕上剤を貯留するようになっており、ケース本体３２の底部にはそれらの貯留部４６〜４８が通じる共通の排出口４９を形成している。
【００２１】
これらの結果、洗濯時には、水が給水弁３０又は風呂水ポンプ３９から、注水カバー３５の第１及び第２の水路４０，４１を選択的に通って洗剤ケース４５の第１ないし第３の貯留部４６〜４８に選択的に供給され、それらの貯留部４６〜４８に貯留された粉末洗剤や液体洗剤、漂白剤、柔軟仕上剤と共にケース本体３２の排出口４９から排出されるようになっている。
【００２２】
しかして、ケース本体３２の排出口４９には、リング状のパッキン５０を介してＬ字状のホース継手（エルボ）５１を連結しており、このホース継手５１の内部に、図２に示すように、逆止弁５２を取付けた弁筐５３を収納している。弁筐５３は、図６に示すように、ホース継手５１の弁筐５３を収納する部分（弁筐収納部）５１ａと相似形の円筒形にて、外径が弁筐収納部５１ａの内径とほゞ同一のものであり、内部には十字状の仕切り５４を有する扇形の通水口５５を形成している。
【００２３】
そのほか、弁筐５３には、上部に逆止弁取付け用のＴ字形凹部５６を形成しており、更に、弁筐収納部５１ａに対する収納先部分とは反対側の周縁部に、フランジ５７を形成している。なお、フランジ５７は、図２に示すように、外径が、弁筐収納部５１ａの内径より大きく、弁筐収納部５１ａの外形とはほゞ同等となっている。
又、仕切り５４と通水口５５の周縁部５５ａは、図２及び図１に示すように、凹部５６側より反凹部５６側（下側）が前記水槽２寄りとなる鈍角に傾斜しており、その角度、特に上記凹部５６に対する角度はθ１で、例えば９５．８度である。
【００２４】
これに対して、逆止弁５２は、図６に示すように、Ｔ字形の取付部５８からフラップ状に扇形の弁体５９を連設したもので、それらを軟質材であるゴム、特には、この場合、ＥＰＤＭ（エチレン−プロピレン−ジエンゴム）で一体に形成しており、図１に示すように、その取付部５８に対する弁体５９の常態の角度はθ２で、上記仕切り５４と通水口５５の周縁部５５ａの角度θ１より小さく、例えば９３度である。
【００２５】
又、弁体５９の、弁筐５３（特にはそれの通水口５５）に面する側とは反対側の表面には、図１に示すように、上部に、取付部５８側へ延びて該取付部５８より上方に突出するリブ６０を形成しており、図６に示すように、下部すなわち反取付部５８側の部分に、逆止弁５２の材質を表す文字（＞ＥＰＤＭ＜）６１を、図１及び図２に示す凸状にて形成している。なお、この逆止弁５２の材質を文字６１で表すのは、逆止弁５２材料のリサイクル使用のためである。
【００２６】
ここで、逆止弁５２の取付部５８を弁筐５３の凹部５６に嵌め込めば、逆止弁５２は、弁体５９を弁筐５３の通水口５５の周縁部５５ａに当接させた状態で、弁筐５３に取付けられる（図２参照）。このとき、逆止弁５２の取付け前の取付部５８に対する弁体５９の角度θ２は、弁体５９が当接した弁筐５３の弁座である通水口５５の周縁部５５ａの角度θ１より小さい。このため、取付け状態では、逆止弁５２は、弁筐５３の通水口５５の周縁部５５ａにより、取付部５８に対する弁体５９の角度θ２を広げられて取付けられ、その状態からの弾性復元力で弁体５９を弁筐５３の通水口５５の周縁部５５ａに圧接させ続けるようになる。
【００２７】
又、この場合、逆止弁５２は、材質を表す文字６１を、凸状にて、弁体５９の反取付部５８側部分に有しており、それにより、弁体５９の反取付部５８側部分の重量が増すことで、弁体５９が弁筐５３の通水口５５の周縁部５５ａ側に付勢され、弁体５９を弁筐５３の通水口５５の周縁部５５ａに一層強く圧接させ続けるようになる。
【００２８】
そして、そのように逆止弁５２を弁筐５３に取付けた後、図２に示すように、弁筐５３を前記ホース継手５１の弁筐収納部５１ａに収納して固着する。このとき、逆止弁５２は、弁体５９に取付部５８側へ延びて該取付部５８より突出するリブ６０を有しており、このリブ６０の取付部５８より突出した部分がホース継手５１の弁筐収納部５１ａの上部の内周部に圧せられることによって、弁体５９を弁筐５３の通水口５５の周縁部５５ａ側に付勢される。これにより、逆止弁５２は、弁体５９を弁筐５３の通水口５５の周縁部５５ａになお一層強く圧接させ続けるようになる。
【００２９】
この後、ホース継手５１に図３に示す蛇腹状の可撓ホース６２を接続し、この可撓ホース６２の図示しない先端部を水槽２の給水受口（これも図示せず）に接続している。従って、ホース継手５１は給水装置２９と水槽２との連通部分であり、そこに逆止弁５２を弁筐５３に取付けた状態で設けており、逆止弁５２のリブ６０は、取付部５８より突出した部分が給水装置２９と水槽２との連通部分の内周部に圧せられている。
【００３０】
次に、上記構成の洗濯乾燥機の作用及び効果を述べる。
上記構成の洗濯乾燥機では、標準的な運転コースが開始されると、最初に洗濯運転が開始される。この洗濯運転には、洗い運転とすすぎ運転とがあり、そのうちの洗い運転では、最初に、給水装置２９により水槽２内に洗剤や漂白剤の投入を伴って給水する動作が行われる。
【００３１】
このとき、給水装置２９では、給水弁３０又は風呂水ポンプ３９を通った水が、注水カバー３５の第１及び第２の水路４０，４１を使用者の設定に応じて通り、更に、洗剤ケース４５の第１ないし第３の貯留部４６〜４８を使用者の設定に応じ通って、ケース本体３２の排出口４９からホース継手５１を、逆止弁５２の弁体５９をその弾性力に抗し押し開いて通り、可撓ホース６２を経て水槽２内に供給される。従って、このときには、逆止弁５２の弁体５９は、弁筐５３の通水口５５の周縁部５５ａから離間し、給水装置から水槽への流体（水）の通過を許容する。
【００３２】
洗い運転では、このように給水して後、モータ１１が作動されることにより、回転槽３が低速で正逆両方向に交互に回転される。
又、すすぎ運転では、給水装置２９により水槽２内に柔軟仕上剤の投入を伴って、もしくはそれを伴わずに給水する動作が上述同様に行われ、続いて、洗い運転同様に、モータ１１が作動されることにより、回転槽３が低速で正逆両方向に交互に回転される。
【００３３】
洗濯運転が終了すると、次に、脱水運転が開始される。この脱水運転では、排水弁１２を開放させて水槽２内の水を排出した後、回転槽３を高速で一方向に回転させる動作が行われる。これにより、回転槽３内の洗濯物が遠心脱水される。
脱水運転が終了すると、次に、乾燥運転が開始される。この乾燥運転では、回転槽３を低速で正逆両方向に回転させつつ、送風機１８を駆動する。すると、送風機１８の送風作用で、図３に矢印で示すように、回転槽３内の空気が水槽２内から通風路２０の還風ダクト１６を経て通風ダクト１４内に流入される。
【００３４】
又、このときには、ヒートポンプ２６の圧縮機２４を駆動する。これにより、ヒートポンプ２６に封入した冷媒が圧縮機２４により圧縮されて高温高圧の冷媒となり、その高温高圧の冷媒が凝縮器２３に流れて、通風ダクト１４内の空気と熱交換する。その結果、通風ダクト１４内の空気が加熱され、反対に、冷媒の温度は低下して液化される。この液化された冷媒が、次に、絞り器２５を通って減圧された後、蒸発器２２に流入し、気化する。それにより、蒸発器２２は通風ダクト１４内の空気を冷却する。蒸発器２２を通過した冷媒は圧縮機２４に戻る。
【００３５】
これらにより、前記水槽２内から通風ダクト１４内に流入した空気は、蒸発器２２で冷却されて除湿され、その後に凝縮器２３で加熱されて温風化される。そして、その温風が給風ダクト１９を経て水槽２内に供給され、更に、内部通風路２ａを経て回転槽３内に供給される。
【００３６】
回転槽３内に供給された温風は洗濯物を加熱して水分を奪う。従って、空気循環装置２１とヒートポンプ２６は、回転槽３内の洗濯物を加熱する加熱装置として機能するものであり、洗濯物から水分を奪った温風は、その後、水槽２内から還風ダクト１６を経て通風ダクト１４内に流入する。かくして、蒸発器２２と凝縮器２３を有する通風ダクト１４と回転槽３との間を空気が循環し、回転槽３内の洗濯物が乾燥される。
【００３７】
この乾燥運転時に、回転槽３内の洗濯物が加熱されることによって発生する蒸気は、それの水槽２内から給水装置２９への進入方向が、逆止弁５２の弁体５９が弁筐５３の通水口５５の周縁部５５ａに圧接した方向と順方向であることにより、給水装置２９への進入を逆止弁５２によって阻止される。
【００３８】
そして、この乾燥運転時の風力や前記脱水運転時の振動に対しては、逆止弁５２が弁筐５３の通水口５５の周縁部５５ａにより、取付部５８に対する弁体５９の角度を取付け前の角度θ２から広げて取付けられ、その状態からの弾性復元力で弁体５９を弁筐５３の通水口５５の周縁部５５ａに圧接させ続けているので、上記乾燥運転時の風力や脱水運転時の振動が加わっても、逆止弁５２が弁筐５３の通水口５５の周縁部５５ａ（弁座）に当たることを細かく繰り返すことがなくなり、かくして異常音の発生をなくすことができる。
【００３９】
加えて、上記構成のものにおいては、逆止弁５２の弁体５９に形成したリブ６０によって、逆止弁５２の取付部５８に対する弁体５９の角度θ１をより確実に保つことができる。そして又、そのリブ６０の取付部５８より突出した部分はホース継手５１の弁筐収納部５１ａの上部の内周部に圧せられて、弁体５９を弁筐５３の通水口５５の周縁部５５ａ側に付勢し、その弁筐５３の通水口５５の周縁部５５ａに一層強く圧接させ続けるようになるから、異常音の発生を一段と確実になくすことができる。
【００４０】
更に、弁体５９の反取付部５８側部分に形成した、逆止弁５２の材質を表す文字６１により、弁体５９の反取付部５８側部分の重量が増して、弁体５９が弁筐５３の通水口５５の周縁部５５ａ側に付勢され、弁体５９を弁筐５３の通水口５５の周縁部５５ａになお一層強く圧接させ続けるようになるから、異常音の発生を一層確実になくすことができる。
【００４１】
以上に対して、図７及び図８は本発明の第２実施例（第２の実施形態）を示すもので、それぞれ、第１実施例と同一の部分には同一の符号を付して説明を省略し、異なる部分についてのみ述べる。
【００４２】
このものの場合、逆止弁５２の弁体５９に、前述のリブ６０に代えて、取付部５８より突出しないリブ７１を形成し、他方、ホース継手５１の弁筐収納部５１ａの上部の内周部に凸部７２を形成し、逆止弁５２がその凸部７２にリブ７１の部分を圧せられて弁体５９を弁筐５３の通水口５５の周縁部５５ａ側に付勢されるようにしている。
このようにしても、逆止弁５２の取付部５８に対する弁体５９の角度θ１をより確実に保つことができるし、凸部７２によるリブ７１を介した弁体５９の付勢で、弁体５９を弁筐５３の通水口５５の周縁部５５ａに一層強く圧接させ続けるようになるから、異常音の発生を一段と確実になくすことができる。
【００４３】
このほか、本発明は上記し且つ図面に示した実施例にのみ限定されるものではなく、特に回転槽３内の洗濯物を加熱する加熱装置としては、空気循環装置２１とヒートポンプ２６とによるものに限られず、例えば通常の電熱ヒータと送風装置とで生成した温風を水槽２内に供給するものであっても良いし、洗濯乾燥機全体としても、ドラム式に限られず、水槽や回転槽を縦軸状に有する縦形の洗濯乾燥機であっても良いなど、要旨を逸脱しない範囲内で適宜変更して実施し得る。
【図面の簡単な説明】
【００４４】
【図１】本発明の第１実施例を示す主要部分の分解状態での縦断面図
【図２】主要部分の組立て状態での縦断面図
【図３】洗濯乾燥機全体の縦断側面図
【図４】ヒートポンプのサイクル構成図
【図５】給水ケースの分解状態での斜視図
【図６】主要部分の分解状態での斜視図
【図７】本発明の第２実施例を示す図１相当図
【図８】図２相当図
【符号の説明】
【００４５】
図面中、１は外箱、２は水槽、３は回転槽、２１は空気循環装置（加熱装置）、２６はヒートポンプ（加熱装置）、２９は給水装置、５１はホース継手（連通部分）、５２は逆止弁、５３は弁筐、５５ａは通水口の周縁部（弁座）、５８は取付部、５９は弁体、６０はリブ、６１は文字、７２は凸部、θ１は弁体の角度、θ２は弁座の角度を示す。
【図１】
2010029521.tif 000003
【図２】
2010029521.tif 000004
【図３】
2010029521.tif 000005
【図４】
2010029521.tif 000006
【図５】
2010029521.tif 000007
【図６】
2010029521.tif 000008
【図７】
2010029521.tif 000009
【図８】
2010029521.tif 000010